(57)【要約】【課題】画像を出力する用紙の用紙種類が印刷要求において指定されていない場合でも、用紙種類によって異なる上限枚数がある後処理を上限枚数を越えることなく実行する。【解決手段】用紙種類仮決定部３４は、給紙トレイ自動選択機能が選択されていて使用する用紙種類が指定されていない場合、使用する用紙種類を仮決めする。判定部３５は、印刷ジョブを実行するのに必要な用紙枚数が、仮決めされた用紙種類の用紙に対して後処理を行う場合の上限枚数を超えているか否かを判定する。用紙種類仮決定部３４は、用紙枚数が後処理上限枚数を超えている場合、他の用紙種類を再度仮決めする。積算部３６は、画像出力部３８に対して用紙が給紙された場合、給紙された用紙種類に基づいて重み付けをした枚数を積算する。印刷制御部３３は、積算された枚数が、後処理を行う場合の上限枚数を超えた場合、後処理が行われないように制御する。【選択図】図３
2012056280.tif 000002
【特許請求の範囲】
【請求項１】
印刷要求を受け付ける受付手段と、
前記受付手段により受け付けられた印刷要求に基づいて用紙上に画像を出力する画像出力手段と、
前記画像出力手段により画像が出力された後の用紙に対して、前記印刷要求において指定された後処理を行う後処理手段と、
前記印刷要求において使用する用紙種類が指定されていない場合、複数の用紙種類の中から使用する用紙種類を仮に決定する決定手段と、
前記印刷要求を実行するために必要な用紙枚数が、前記決定手段により仮に決定された用紙種類の用紙に対して後処理を行う場合の上限枚数を超えているか否かを判定する判定手段と、
を備えた画像形成装置。
【請求項２】
前記決定手段は、前記判定手段において前記印刷要求を実行するために必要な用紙枚数が後処理を行う場合の上限枚数を超えていると判定された場合、複数の用紙種類の中から他の用紙種類を再度仮に決定する請求項１記載の画像形成装置。
【請求項３】
前記決定手段は、複数の用紙種類のうち後処理を行う場合の上限枚数が少ない順に用紙種類を決定する請求項１または２記載の画像形成装置。
【請求項４】
前記決定手段は、複数の用紙種類のうち使用頻度が高い順に用紙種類を決定する請求項１または２記載の画像形成装置。
【請求項５】
前記決定手段は、複数の用紙種類のうち後処理を行う場合の上限枚数が多い順に用紙種類を決定する請求項１または２記載の画像形成装置。
【請求項６】
前記決定手段は、自装置において現在設定されている複数の用紙種類の中から使用する用紙種類を決定する請求項１または２記載の画像形成装置。
【請求項７】
前記決定手段は、自装置において設定可能な複数の用紙種類の中から使用する用紙種類を決定する請求項１または２記載の画像形成装置。
【請求項８】
前記決定手段は、自動的に給紙トレイを選択する機能において選択対象となっている複数の用紙種類の中から使用する用紙種類を決定する請求項１または２記載の画像形成装置。
【請求項９】
前記画像出力手段に対して用紙を給紙する給紙手段と、
前記給紙手段により用紙が給紙された場合、給紙された用紙種類に基づいて重み付けをした枚数を積算する積算手段と、
前記積算手段により積算された枚数が、後処理を行う場合の上限枚数を超えた場合、前記後処理手段による後処理が行われないように制御する制御手段と、
をさらに備えた請求項１から８のいずれか１項記載の画像形成装置。
【請求項１０】
前記決定手段は、前記画像出力手段における画像の出力処理中に使用している用紙の紙切れが発生した場合、残りの印刷要求を実行するために必要な用紙枚数に対して用紙種類に基づいて重み付けした枚数を、それまで前記積算手段により積算された枚数に加算した場合でも前記上限枚数を超えないように、紙切れが発生した用紙種類以外の用紙種類の中から使用する用紙種類を決定する請求項９記載の画像形成装置。
【請求項１１】
印刷要求を受け付けるステップと、
受け付けた印刷要求において使用する用紙種類が指定されていない場合、複数の用紙種類の中から使用する用紙種類を仮に決定するステップと、
前記印刷要求を画像出力手段において実行するために必要な用紙枚数が、仮に決定された用紙種類の用紙に対して後処理を行う場合の上限枚数を超えているか否かを判定するステップとをコンピュータに実行させるためのプログラム。
【請求項１２】
画像出力手段に対して用紙が給紙された場合、給紙された用紙種類に基づいて重み付けをした枚数を積算するステップと、
積算された枚数が、後処理を行う場合の上限枚数を超えた場合、後処理が行われないように制御するステップとをさらにコンピュータに実行させる請求項１１記載のプログラム。
【発明の詳細な説明】
【技術分野】
【０００１】
本発明は、画像形成装置およびプログラムに関する。
【背景技術】
【０００２】
特許文献１には、印刷に用いる用紙の用紙種類を取得して、取得した用紙種類に基づいてステープル可能なステープル可能枚数を設定することにより、厚手の用紙であってもステープル処理が失敗しないようにした印刷制御方法が開示されている。
【先行技術文献】
【特許文献】
【０００３】
【特許文献１】特開２００２−２５５４３９号公報
【発明の概要】
【発明が解決しようとする課題】
【０００４】
本発明の目的は、画像を出力する用紙の用紙種類が印刷要求において指定されていない場合でも、用紙種類によって異なる上限枚数がある後処理を上限枚数を越えることなく実行可能な画像形成装置およびプログラムを提供することである。
【課題を解決するための手段】
【０００５】
［画像形成装置］
請求項１に係る本発明は、印刷要求を受け付ける受付手段と、
前記受付手段により受け付けられた印刷要求に基づいて用紙上に画像を出力する画像出力手段と、
前記画像出力手段により画像が出力された後の用紙に対して、前記印刷要求において指定された後処理を行う後処理手段と、
前記印刷要求において使用する用紙種類が指定されていない場合、複数の用紙種類の中から使用する用紙種類を仮に決定する決定手段と、
前記印刷要求を実行するために必要な用紙枚数が、前記決定手段により仮に決定された用紙種類の用紙に対して後処理を行う場合の上限枚数を超えているか否かを判定する判定手段とを備えた画像形成装置である。
【０００６】
請求項２に係る本発明は、前記決定手段が、前記判定手段において前記印刷要求を実行するために必要な用紙枚数が後処理を行う場合の上限枚数を超えていると判定された場合、複数の用紙種類の中から他の用紙種類を再度仮に決定する請求項１記載の画像形成装置である。
【０００７】
請求項３に係る本発明は、前記決定手段が、複数の用紙種類のうち後処理を行う場合の上限枚数が少ない順に用紙種類を決定する請求項１または２記載の画像形成装置である。
【０００８】
請求項４に係る本発明は、前記決定手段が、複数の用紙種類のうち使用頻度が高い順に用紙種類を決定する請求項１または２記載の画像形成装置である。
【０００９】
請求項５に係る本発明は、前記決定手段が、複数の用紙種類のうち後処理を行う場合の上限枚数が多い順に用紙種類を決定する請求項１または２記載の画像形成装置である。
【００１０】
請求項６に係る本発明は、前記決定手段が、自装置において現在設定されている複数の用紙種類の中から使用する用紙種類を決定する請求項１または２記載の画像形成装置である。
【００１１】
請求項７に係る本発明は、前記決定手段が、自装置において設定可能な複数の用紙種類の中から使用する用紙種類を決定する請求項１または２記載の画像形成装置である。
【００１２】
請求項８に係る本発明は、前記決定手段が、自動的に給紙トレイを選択する機能において選択対象となっている複数の用紙種類の中から使用する用紙種類を決定する請求項１または２記載の画像形成装置である。
【００１３】
請求項９に係る本発明は、前記画像出力手段に対して用紙を給紙する給紙手段と、
前記給紙手段により用紙が給紙された場合、給紙された用紙種類に基づいて重み付けをした枚数を積算する積算手段と、
前記積算手段により積算された枚数が、後処理を行う場合の上限枚数を超えた場合、前記後処理手段による後処理が行われないように制御する制御手段と、
をさらに備えた請求項１から８のいずれか１項記載の画像形成装置である。
【００１４】
請求項１０に係る本発明は、前記決定手段が、前記画像出力手段における画像の出力処理中に使用している用紙の紙切れが発生した場合、残りの印刷要求を実行するために必要な用紙枚数に対して用紙種類に基づいて重み付けした枚数を、それまで前記積算手段により積算された枚数に加算した場合でも前記上限枚数を超えないように、紙切れが発生した用紙種類以外の用紙種類の中から使用する用紙種類を決定する請求項９記載の画像形成装置である。
[プログラム]
【００１５】
請求項１１に係る本発明は、印刷要求を受け付けるステップと、
受け付けた印刷要求において使用する用紙種類が指定されていない場合、複数の用紙種類の中から使用する用紙種類を仮に決定するステップと、
前記印刷要求を画像出力手段において実行するために必要な用紙枚数が、仮に決定された用紙種類の用紙に対して後処理を行う場合の上限枚数を超えているか否かを判定するステップとをコンピュータに実行させるためのプログラムである。
【００１６】
請求項１２に係る本発明は、画像出力手段に対して用紙が給紙された場合、給紙された用紙種類に基づいて重み付けをした枚数を積算するステップと、
積算された枚数が、後処理を行う場合の上限枚数を超えた場合、後処理が行われないように制御するステップとをさらにコンピュータに実行させる請求項１１記載のプログラムである。
【発明の効果】
【００１７】
請求項１に係る本発明によれば、画像を出力する用紙の用紙種類が印刷要求において指定されていない場合でも、用紙種類によって異なる上限枚数がある後処理を上限枚数を越えることなく実行することができる画像形成装置を提供することができる。
【００１８】
請求項２に係る本発明によれば、請求項１に係る発明により得られる効果に加えて、最初に選択した用紙種類では後処理の上限枚数を超える場合でも、上限枚数を超えない用紙種類を選択することが可能な画像形成装置を提供することができる。
【００１９】
請求項３に係る本発明によれば、請求項１または２に係る発明により得られる効果に加えて、実際に給紙が行われた場合に、後処理の上限枚数を越える可能性が最も低い用紙種類に仮決定を行うことが可能な画像形成装置を提供することができる。
【００２０】
請求項４に係る本発明によれば、請求項１または２に係る発明により得られる効果に加えて、実際に給紙される可能性の高い用紙種類の仮決定を行うことが可能な画像形成装置を提供することができる。
【００２１】
請求項５に係る本発明によれば、請求項１または２に係る発明により得られる効果に加えて、決定手段による最初の決定により用紙種類の仮決定を行うことが可能な画像形成装置を提供することができる。
【００２２】
請求項６に係る本発明によれば、請求項１または２に係る発明により得られる効果に加えて、実際に給紙される可能性の高い用紙種類に仮決定を行うことが可能な画像形成装置を提供することができる。
【００２３】
請求項７に係る本発明によれば、請求項１または２に係る発明により得られる効果に加えて、幅広い選択肢の中から用紙種類を仮決定することが可能な画像形成装置を提供することができる。
【００２４】
請求項８に係る本発明によれば、請求項１または２に係る発明により得られる効果に加えて、実際に給紙される可能性の高い用紙種類に仮決定を行うことが可能な画像形成装置を提供することができる。
【００２５】
請求項９に係る本発明によれば、請求項１から８に係るいずれかの発明により得られる効果に加えて、上限枚数を超えることなく後処理を行うことが可能な画像形成装置を提供することができる。
【００２６】
請求項１０に係る本発明によれば、請求項９に係る本発明により得られる効果に加えて、使用している用紙が紙切れを起こした場合には、残りの印刷要求を実行する際に、上限枚数を超えないよう使用する用紙の用紙種類を決定することが可能な画像形成装置を提供することができる。
【００２７】
請求項１１に係る本発明によれば、画像を出力する用紙の用紙種類が印刷要求において指定されていない場合でも、用紙種類によって異なる上限枚数がある後処理を上限枚数を越えることなく実行することができるプログラムを提供することができる。
【００２８】
請求項１２に係る本発明によれば、請求項１１に係る発明により得られる効果に加えて、上限枚数を超えることなく後処理を行うことが可能なプログラムを提供することができる。
【図面の簡単な説明】
【００２９】
【図１】本発明の一実施形態の画像形成システムのシステム構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】給紙トレイ自動選択機能における用紙種類の優先順位の設定例を図４に示す。
【図５】普通用紙を基準として、他の用紙種類の用紙に対して重み付けを行った後の枚数の一例を示す図である。
【図６】後処理として製本処理が指定され、給紙トレイ自動選択機能が選択されている印刷ジョブを受け付けた場合の、本実施形態の画像形成装置１０の動作を説明するためのフローチャートである。
【図７】製本面付け処理の一例を示す図である。
【図８】製本面付け処理が行われた後の印刷ジョブを実行する際の本発明の一実施形態の画像形成装置１０の動作を説明するためのフローチャートである。
【図９】製本処理の印刷ジョブに対して、１〜１０ページ目までは普通紙が給紙され、１１〜１５ページに対しては再生紙が給紙された場合の積算枚数の例を示す図である。
【図１０】印刷ジョブを実行中に選択した用紙種類の用紙が紙切れを起こした場合の本実施形態の画像形成システムの動作を説明するための図である。
【発明を実施するための形態】
【００３０】
次に、本発明の実施の形態について図面を参照して詳細に説明する。
図１は本発明の一実施形態の画像形成システムの構成を示すブロック図である。
【００３１】
本発明の一実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を備えたいわゆる複合機と呼ばれる装置である。
【００３２】
次に、本実施形態の画像形成システムにおける画像形成装置１０のハードウェア構成を図２に示す。
【００３３】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を備えた。これらの構成要素は、制御バス１８を介して互いに接続されている。
【００３４】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３５】
図３は、上記の制御プログラムが実行されることにより実現される画像形成装置１０の機能構成を示すブロック図である。
【００３６】
本実施形態の画像形成装置１０は、図３に示されるように、印刷ジョブ受付部３１と、印刷ジョブ格納部３２と、印刷制御部３３と、用紙種類仮決定部３４と、判定部３５と、積算部３６と、給紙部３７と、画像出力部３８と、後処理部３９とを備えている。
【００３７】
印刷ジョブ受付部３１は、ネットワーク３０を介して端末装置２０から送信されてきた印刷ジョブ（印刷要求）を受け付ける。印刷ジョブ格納部３２は、印刷ジョブ受付部３１により受け付けられた印刷ジョブを格納する。
【００３８】
印刷制御部３３は、印刷ジョブ格納部３２に格納されている印刷ジョブを順次実行して、画像出力部３８に対して画像を出力させる制御を行う。また、印刷制御部３３は、給紙部３７を制御して画像出力部３８に対して印刷用紙を給紙させたり、後処理部３９を制御して画像出力部３８により画像が形成された後の印刷用紙に対して後処理を実行させる。
【００３９】
給紙部３７は、印刷制御部３３の制御に基づいて、それぞれ異なる用紙種類（紙質および用紙サイズ）の用紙がセットされた複数の給紙トレイの中から１つの給紙トレイを選択して、画像出力部３８に対して用紙を給紙する。
【００４０】
画像出力部３８は、印刷制御部３３の制御に従って、印刷ジョブ受付部３１により受け付けられた印刷ジョブに基づいて給紙部３７から給紙された用紙上に画像を出力する。
【００４１】
後処理部３９は、画像出力部３８により画像が出力された後の用紙に対して、印刷制御部３３の制御に基づいて、印刷ジョブにおいて指定された後処理を行う。
【００４２】
用紙種類仮決定部３４は、印刷ジョブにおいて使用する用紙種類が指定されていない場合、複数の用紙種類の中から使用する用紙種類を仮に決定する。
【００４３】
ここで、印刷ジョブにおいて使用する用紙種類が指定されていない場合とは、例えば、給紙トレイ自動選択機能が選択されているような場合である。給紙トレイ自動選択機能とは、予め設定された用紙種類（紙質）の優先順位に基づいて、複数の給紙トレイの中から自動的に給紙トレイを選択して給紙動作を行う機能である。この給紙トレイ自動選択機能を選択した場合、例えば普通紙で印刷を行っている途中で用紙切れとなった場合でも、給紙する用紙を再生紙に切り替えて給紙動作を継続することが可能となる。
【００４４】
この給紙トレイ自動選択機能における用紙種類の優先順位の設定例を図４に示す。この図４に示された優先順位の例では、普通紙１が１位に設定され、普通紙２、再生紙がそれぞれ２位、３位に設定されている。そのため、このような優先順位が設定されている場合、まず普通紙１が設定された給紙トレイが優先的に選択され、普通紙１が用紙切れした場合、次に普通紙２が設定された給紙トレイに切り替わる。そして、普通紙２が用紙切れした場合、次に再生紙が設定された給紙トレイに切り替わる。なお、このような給紙トレイ自動選択機能が指定された場合、用紙切れ等が発生すると自動的に給紙トレイが切り替わるため、実際に給紙動作が行われる直前まで用紙種類が確定しない。
【００４５】
判定部３５は、印刷ジョブを実行するために必要な用紙枚数が、用紙種類仮決定部３４により仮に決定された用紙種類の用紙に対して後処理を行う場合の上限枚数を超えているか否かを判定する。
【００４６】
ここで後処理を行う場合の上限枚数とは、後処理の内容および後処理を行おうとする用紙の用紙種類に基づいて決定される。例えば、後処理がステープルの場合、用紙種類が普通紙であれば上限枚数は５０枚、再生紙であれば上限枚数は２５枚というように決定される。また、後処理が製本処理の場合、用紙種類が普通紙であれば上限枚数は２０枚、再生紙であれば上限枚数は１５枚というように決定される。
【００４７】
そして、用紙種類仮決定部３４は、判定部３５において印刷ジョブを実行するために必要な用紙枚数が後処理を行う場合の上限枚数を超えていると判定された場合、複数の用紙種類の中から他の用紙種類を再度仮に決定（仮決め）する。
【００４８】
ここで、用紙種類仮決定部３４は、仮決めする用紙種類は自動選択が許可されている用紙種類の中から選択する。具体的には、用紙種類仮決定部３４は、給紙トレイ自動選択機能において選択対象となっている複数の用紙種類の中から使用する用紙種類を仮決めする。
【００４９】
例えば、Ａ４Ｓ普通紙１（８０〜９５ｇｓｍ(gram per square meter)）、Ａ４Ｓ普通紙２（９６〜１０５ｇｓｍ）、Ａ４Ｓ厚紙（１２０〜１３０ｇｓｍ）という用紙種類が給紙部３７に設定されていて、普通紙１、２は自動選択の対象、厚紙は対象外になっている場合、用紙種類仮決定部３４は、使用する用紙種類をＡ４Ｓ普通紙２に仮決めする。
【００５０】
そして、後処理として製本処理が指定されている場合、印刷制御部３３では、仮決めされたＡ４Ｓ普通紙２に基づいて仮面付けを行い、必要となる用紙枚数が後処理の上限枚数を超える場合、用紙種類仮決定部３４は、再度仮決めを行ってＡ４Ｓ普通紙１を使用する用紙種類に仮決定する。すると、印刷制御部３３では、仮決めされたＡ４Ｓ普通紙１に基づいて仮面付けを行い、判定部３５では、必要となる用紙枚数が後処理の上限枚数を超えるか否かの判定が行われる。
【００５１】
なお、用紙種類仮決定部３４は、複数の用紙種類のうち使用頻度が高い順に用紙種類を決定するようにしてもよい。また、用紙種類仮決定部３４は、複数の用紙種類のうち後処理を行う場合の上限枚数が多い順または少ない順に用紙種類を決定するようにしてもよい。さらに、用紙種類仮決定部３４は、自装置において現在設定されている複数の用紙種類の中から使用する用紙種類を決定するようにしてもよいし、自装置において設定可能な複数の用紙種類の中から使用する用紙種類を決定するようにしてもよい。
【００５２】
積算部３６は、実際の画像出力処理の段階において、給紙部３７により画像出力部３８に対して用紙が給紙された場合、給紙された用紙種類に基づいて重み付けをした枚数を積算する。
【００５３】
例えば、図５に示すように、普通用紙を基準とした場合、重み付け後の枚数は、普通紙が１枚、再生紙が２枚、厚紙が２．５枚、ＯＨＰ用紙が３枚というように実際の枚数に対して重み付けを行った値となっている。
【００５４】
そして、印刷制御部３３は、積算部３６により積算された枚数が、後処理を行う場合の上限枚数を超えた場合、後処理部３９による後処理が行われないように制御する。
【００５５】
次に、本実施形態の画像形成装置の動作について図面を参照して詳細に説明する。
【００５６】
先ず、後処理として製本処理が指定され、給紙トレイ自動選択機能が選択されている印刷ジョブを受け付けた場合の動作を図６のフローチャートを参照して説明する。
【００５７】
このような印刷ジョブを実行しようとする印刷制御部３３では、先ず、印刷ジョブから後処理情報と、用紙種類情報を取得する（ステップＳ１０１）。ここで、後処理情報には製本処理が指定されているが、給紙トレイ自動選択機能が選択されているため用紙種類情報は取得できない（ステップＳ１０２においてＮｏ）。そのため、用紙種類仮決定部３４は、選択対象となっている用紙種類の中から１つの用紙種類を選択して、使用する用紙種類として仮決めする（ステップＳ１０３）。ここでは、用紙種類仮決定部３４は、用紙種類として普通紙に仮きめしたものとして説明を行なう。
【００５８】
すると、判定部３５では、用紙種類仮決定部３４により仮決めされた用紙種類における後処理上限枚数を取得する（ステップＳ１０４）。ここでは、後処理として製本処理が指定されているため、上限枚数として２０枚が設定される。
【００５９】
そして、印刷制御部３３では、後処理として製本処理が指定されているため（ステップＳ１０５においてＹｅｓ）、製本面付け処理が行われる。
【００６０】
この製本面付け処理の一例を図７に示す。この図７に示した例では、ページ数が６０ページの印刷ジョブであり、後処理として製本処理が指定され、自動給紙トレイ選択機能が選択され、用紙種類も自動に指定されている。このような印刷ジョブに対して面付け処理が行われた結果、図７に示されるように、面付け処理後の用紙枚数は１５枚になっていることがわかる。
【００６１】
そして、判定部３５では、印刷ジョブを実行するための用紙枚数が後処理の上限枚数を越えているか否かが判定される（ステップＳ１０７）。このステップＳ１０７において、用紙枚数が後処理の上限枚数を越えていると判定された場合、用紙種類仮決定部３４は、仮決め可能な他の用紙種類が存在するか否かを判定する（ステップＳ１０８）。そして、仮決め可能な他の用紙種類が存在しない場合（ステップＳ１０８においてＮｏ）、印刷制御部３３は、印刷ジョブを中断する（ステップＳ１０９）。なお、仮決め可能な他の用紙種類が存在する場合（ステップＳ１０８においてＹｅｓ）、用紙種類仮決定部３４は、印刷に使用する用紙を、他の用紙種類の用紙に仮決めする（ステップＳ１１０）。そして、判定部３５では、用紙種類仮決定部３４により仮決めされた用紙種類における後処理上限枚数を取得する（ステップＳ１１１）。
【００６２】
つまり、選択可能な用紙種類が存在する限り、用紙枚数が後処理上限枚数を越えなくなるまで、用紙種類の仮決めが繰り返されることとなる。
【００６３】
なお、図７に示したような例の場合、面付け処理後の用紙枚数が１５枚であり、後処理上限枚数が２０枚であるため、判定部３５において、用紙枚数は後処理上限枚数より少ないと判定される（ステップＳ１０７においてＮｏ）。
【００６４】
次に、このようにして製本面付け処理が行われた後の印刷ジョブを実行する際の本実施形態の画像形成装置１０の動作を図８のフローチャートを参照して説明する。
【００６５】
このような製本面付け処理後の印刷ジョブを実行する場合、先ず、給紙方法および用紙種類情報が取得される（ステップＳ２０１）。ここでは、給紙方法として、給紙トレイ自動選択が指定され、用紙種類情報として普通紙が仮決めされているものとする。そして、後処理枚数が０に初期化される（ステップＳ２０２）。
【００６６】
次に、実際に給紙する用紙種類が決定される（ステップＳ２０３）。ここでは、普通紙の給紙トレイが存在するため、給紙する用紙種類として普通紙が決定されたものとする。すると、印刷制御部３３では、給紙部３７に対して普通紙を給紙するような指示が行われる（ステップＳ２０４）。
【００６７】
すると、積算部３６では、後処理枚数に給紙した用紙に応じた重み付け後の枚数を加算する（ステップＳ２０５）。ここでは、普通紙が給紙されたため、後処理枚数に対して「１」が加算される。
【００６８】
そして、後処理枚数が、後処理上限枚数を越えたか否かが判定され（ステップＳ２０６）、越えていると判定された場合は、後処理の解除が印刷ジョブ自体のキャンセルが行われる（ステップＳ２０７）。
【００６９】
そして、ステップＳ２０６において、処理枚数が後処理上限枚数を越えていないと判定された場合、未処理のページがあるか否かが判定され（ステップＳ２０８）、未処理のページがなくなるまでステップＳ２０３〜Ｓ２０６の処理が繰り返される。
【００７０】
このような処理が行われることにより、図７に示したような製本処理の印刷ジョブに対して、１〜１０ページ目までは普通紙が給紙され、１１〜１５ページに対しては再生紙が給紙された場合の積算枚数の例を図９に示す。この図９を参照すると、１〜１０ページ目までは普通紙が給紙されているため、普通紙１枚に対して「１」が積算枚数に対して加算されているのが分かる。そして、普通紙の用紙切れ等の何等かの原因により、１１ページ目からは再生紙が給紙されているため、再生紙１枚に対して「２」が積算枚数に対して加算されているのが分かる。
【００７１】
この図９に示した場合では、１５ページ目までの積算枚数が２０枚となっているが、後処理上限枚数が２０枚に設定されているため、後処理解除やジョブキャンセルされることなく印刷ジョブは実行されることとなる。
【００７２】
なお、画像出力部３８における印刷処理の途中で用紙切れが発生した場合、用紙種類仮決定部３４は、残りの印刷ジョブを実行するために必要な用紙枚数に対して用紙種類に基づいて重み付けした枚数を、それまで積算部３６により積算された枚数に加算した場合でも上限枚数を超えないように、紙切れが発生した用紙種類以外の用紙種類の中から使用する用紙種類を決定する。
【００７３】
例えば、図１０に示すような場合を参照して説明する。この図１０では、用紙トレイとしてトレイ１〜３の３つのトレイがあり、それぞれ普通紙１、普通紙２、再生紙がセットされているものとする。そして、普通紙１の重み付け係数を１とした場合、普通紙２の重み付け係数は１．５、再生紙の重み付け係数は３になっているものとする。そして、用紙トレイ自動選択機能における優先順位は、トレイ３が最も高く、次に普通紙２、普通紙１と設定されているものとする。そして、後処理としてステープルを行う場合の上限枚数が、普通紙１の場合には９０枚、普通紙２の場合には６０枚、再生紙の場合には３０枚であるものとする。
【００７４】
このような場合に、用紙枚数が４５枚の印刷ジョブを実行する場合について説明する。このような印刷ジョブを実行する際には、用紙種類仮決定部３４は、まず優先順位が最も高い再生紙に仮決定を行う。しかし、この印刷ジョブの用紙枚数が４５枚であり、用紙種類を再生紙とした場合の上限枚数が３０枚であるため、判定部３５において、用紙枚数が後処理の上限枚数を越えていると判定される。
【００７５】
そのため、用紙種類仮決定部３４において次に優先順位が高い普通紙２に仮決定され、この普通紙２を使用して印刷処理が開始されることとなる。
【００７６】
しかし、例えば、普通紙２を収納しているトレイ２には用紙が４０枚しかセットされていないような場合、印刷ジョブを最後まで実行する前に用紙切れが発生する。この例の場合には、あと５枚の印刷処理を残した状態で用紙切れが発生する。
【００７７】
このような場合には、用紙種類仮決定部３４は、用紙切れが発生した用紙種類以外の用紙種類の中から使用する用紙種類を決定する。この場合、予め設定されている優先順位に基づき、先ず再生紙を収納しているトレイ３が選択される。そして、用紙種類仮決定部３４は、残りの印刷ジョブを実行するために必要な用紙枚数５枚に対して、選択した用紙種類である再生紙の重み付け係数３により重み付けした枚数を、それまで積算部３６により積算された枚数に加算した場合でも上限枚数を超えないことを確認する。
【００７８】
具体的には、用紙種類仮決定部３４は、５枚×３＋４０枚×１．５（それまで積算部３６により積算された枚数）の合計が上限枚数である９０枚を越えないことを確認する。この場合には、合計枚数が７５枚となり上限枚数である９０枚を越えないため、次に使用する用紙種類は再生紙に決定される。
【００７９】
ここで、例えば、普通紙２を収納しているトレイ２には用紙が５枚しかセットされておらず、上記の印刷ジョブが途中で中断したような場合、あと４０枚の印刷処理を残した状態で用紙切れが発生する。
【００８０】
このような場合には、優先順位に基づいて再生紙が選択されても、残りの印刷ジョブを実行するために必要な用紙枚数４０枚に対して、選択した用紙種類である再生紙の重み付け係数３により重み付けした枚数を、それまで積算部３６により積算された枚数（５枚×１．５）に加算すると１２７．５枚となり、上限枚数９０枚を大幅に超えてしまう。
【００８１】
そのため、用紙種類仮決定部３４は、次に、使用する用紙種類として普通紙１を選択する。普通紙１を使用した場合には、残りの印刷ジョブを実行するために必要な用紙枚数４０枚に対して、選択した用紙種類である再生紙の重み付け係数１により重み付けした枚数を、それまで積算部３６により積算された枚数（５枚×１．５）に加算すると４７．５枚となり上限枚数９０枚を越えることはない。そのため、用紙種類仮決定部３４は、残りの印刷ジョブを実行するのに使用する用紙種類として普通紙１を決定する。
【００８２】
[変形例]
上記実施形態では、後処理としてステープル処理や製本処理が行われる場合を用いて説明したが、本発明はこれに限定されるものではなく、穴開け（パンチ）、裁断、折り処理等の他の後処理が行われる場合でも同様に適用することができるものである。
【符号の説明】
【００８３】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    印刷ジョブ受付部
３２    印刷ジョブ格納部
３３    印刷制御部
３４    用紙種類仮決定部
３５    判定部
３６    積算部
３７    給紙部
３８    画像出力部
３９    後処理部
【図１】
2012056280.tif 000003
【図２】
2012056280.tif 000004
【図３】
2012056280.tif 000005
【図４】
2012056280.tif 000006
【図５】
2012056280.tif 000007
【図６】
2012056280.tif 000008
【図７】
2012056280.tif 000009
【図８】
2012056280.tif 000010
【図９】
2012056280.tif 000011
【図１０】
2012056280.tif 000012